(57)【要約】【課題】  複数の走査露光装置を簡単な調整作業により、高い精度で調整することを可能とする。【解決手段】  複数の走査露光装置を共通の支持手段で支持する支持構造とし、該支持手段を位置調整することにより、走査露光装置が共通に位置調整される。【選択図】        図５
2006243460.tif 000002
【特許請求の範囲】
【請求項１】
感光体、該感光体を帯電する帯電装置、帯電された前記感光体を走査露光して静電潜像を形成する走査露光装置、前記感光体上の静電潜像を現像してトナー像を形成する現像装置、一次転写装置及びクリーニング装置を有する複数の画像形成部、
中間転写体並びに、
二次転写装置、を有し、
複数の前記画像形成部が前記中間転写体に対して対向して配置され、前記画像形成部において形成されたトナー像を前記一次転写装置により前記中間転写体に転写し、中間転写体上で重ねることにより、前記中間転写体上にカラートナー像を形成し、形成されたカラートナー像を前記二次転写装置により記録材に転写するカラー画像形成装置において、
主走査方向の一方の端部において前記走査露光装置を支持する第１支持手段及び、
前記主走査方向の他方の端部において、前記走査露光装置を支持する第２支持手段を有し、
前記第１、第２支持手段の少なくとも一つは、複数の前記走査露光装置を共通に支持する支持部材を有し、該支持部材の調整により、複数の前記走査露光装置が共通に位置調整されたことを特徴とするカラー画像形成装置。
【請求項２】
感光体に対向して、走査露光装置と現像装置とを有する画像形成部が複数配置されるとともに、転写装置が配置され、複数の前記画像形成部において、前記感光体上にトナー像を形成し、前記感光体上で重ねることにより、前記感光体上にカラートナー像を形成し、形成したカラートナー像を記録材体に転写するカラー画像形成装置において、
主走査方向の一方の端部において前記走査露光装置を支持する第１支持手段及び、
前記主走査方向の他方の端部において、前記走査露光装置を支持する第２支持手段を有し、
前記第１、第２支持手段の少なくとも一つは、複数の前記走査露光装置を共通に支持する支持部材を有し、該支持部材の調整により、複数の前記走査露光装置が共通に位置調整されたことを特徴とするカラー画像形成装置。
【請求項３】
感光体、該感光体を帯電する帯電装置、帯電された前記感光体を走査露光して静電潜像を形成する走査露光装置、前記感光体上の静電潜像を現像してトナー像を形成する現像装置、一次転写装置及びクリーニング装置を有する画像形成部の複数を、記録材を搬送する搬送体に対向して設け、
前記画像形成部において形成されたトナー像を前記一次転写装置により、前記搬送体により搬送された記録材に転写し、記録材上で重ねることにより、記録材上にカラートナー像を形成するカラー画像形成装置において、
主走査方向の一方の端部において前記走査露光装置を支持する第１支持手段及び、
前記主走査方向の他方の端部において、前記走査露光装置を支持する第２支持手段を有し、
前記第１、第２支持手段の少なくとも一つは、複数の前記走査露光装置を共通に支持する支持部材を有し、該支持部材の調整により、複数の前記走査露光装置が共通に位置調整されたことを特徴とするカラー画像形成装置。
【請求項４】
前記第１支持手段及び前記第２支持手段が複数の前記走査露光装置を共通に支持する前記支持部材を有することを特徴とする請求項１〜３のいずれか１項に記載のカラー画像形成装置。
【請求項５】
前記第１、第２支持手段の少なくとも一つは、イエロー画像形成部、マゼンタ画像形成部及びシアン画像形成部の前記走査露光装置を個々に調整可能に支持する調整支持部材を有し、該調整支持部材の調整により、前記イエロー画像形成部、前記マゼンタ画像形成部及び前記シアン画像形成部は、黒画像形成部に対して位置調整され、位置設定されていることを特徴とする請求項１〜４のいずれか１項に記載のカラー画像形成装置。
【発明の詳細な説明】
【技術分野】
【０００１】
本発明は、カラー画像形成装置に関し、特に、イエロー画像形成部、マゼンタ画像形成部、シアン画像形成部及び黒画像形成部を有するカラー画像形成装置に関する。
【背景技術】
【０００２】
電子写真方式のカラー画像形成装置において、感光体や中間転写体を１回循環させる工程中に多色像、即ち、カラートナー像を形成することができるものには非特許文献１に記載されているように３種類のタイプがある。
【０００３】
その第１は、イエロー画像形成部、マゼンタ画像形成部、シアン画像形成部及び黒画像形成部が中間転写体に対向して配置され、各画像形成部において形成された単色トナー像が中間転写体に転写され、中間転写体上で重なってカラートナー像が形成され、中間転写体から記録材にカラートナーが転写され、記録材上にカラートナー像が形成されるものである。
【０００４】
その第２は、イエロー画像形成部、マゼンタ画像形成部、シアン画像形成部及び黒画像形成部が感光体に対して対向配置され、各画像形成部により、感光体上に単色トナー像が形成され、感光体上に単色トナー像が重なったカラートナー像が形成され、感光体上のカラートナー像が記録材に転写されて、記録材上にカラートナー像が形成されるものである。
【０００５】
その第３は、イエロー画像形成部、マゼンタ画像形成部、シアン画像形成部及び黒画像形成部が記録材を搬送する搬送体に対向して配置され、各画像形成部において形成された単色トナー像が搬送体により搬送された記録材に転写され、記録材上で重なって記録材上にカラートナー像が形成されるものである。
【非特許文献１】株式会社コロナ社発行、続  電子写真技術の基礎と応用（１９９６年１１月１５日初版発行）
【発明の開示】
【発明が解決しようとする課題】
【０００６】
カラー画像形成装置においては、各画像形成部を位置精度良く設置することが、色ずれのない高画質のカラートナー像を形成するために重要であり、特に、画像の位置を決定する露光装置の設置位置が高画質の画像を形成する上で重要になる。従来技術の画像形成装置における各走査露光装置の位置調整について説明する。
【０００７】
図１は走査露光装置の位置調整の概念図である。Ｙ、Ｍ、Ｃ、Ｋはそれぞれイエロー画像の露光におけるイエロー走査線、マゼンタ画像の露光におけるマゼンタ走査線、シアン画像の露光におけるシアン走査線、黒画像の走査における黒走査線を示す。また、Ｒは基準走査線を示す。
【０００８】
各走査露光装置は、粗組み立てにおいて、設計精度の範囲内で位置調整されて組み立てられるが、図１のように各走査線の両端は揃わない。このような不一致は、画像データを発生する画像データ生成部の有効画像幅を調整する電気的調整により補正し、揃えることができる。即ち、矢印で示すように、主走査方向に走査線をシフトさせることにより、主走査方向の位置を一致させることができる。しかしながら、電気的調整により各走査線を揃えることによっても、各走査における書込位置は完全には一致しない。
【０００９】
走査線は連続するドットにより形成されるが、前記電気的調整により走査線の両端が一致した場合でも、ドット間隔が各走査線間で異なるという書込位置のずれが除去しきれない。
【００１０】
このような書込位置のずれは、図１の走査線Ｙ、Ｍ、Ｃ、Ｋが基準線Ｒから大きくずれたために、調整量が大きい場合に特に顕著になり、色ずれや画像の歪みの原因となる。
【００１１】
このために、各画像形成部の走査露光装置の位置を調整し、図１の走査線Ｙ、Ｍ、Ｃ、Ｋ間の位置のずれを無くするか又は許容範囲内に収める機械的な調整が従来から行われ、機械的な位置調整を行った後に、さらに画像データ生成部の電気的調整が行われていた。
【００１２】
機械的な位置調整の従来方法では、４個の走査露光装置のうちの特定の走査露光装置、たとえば、黒走査露光装置を基準とし、黒走査露光装置にイエロー走査露光装置、マゼンタ走査露光装置及びシアン走査露光装置の位置を合わせる調整が行われる。このような調整は黒画像形成部による書込を行った後に各有彩色画像形成部により画像形成を行い、各有彩色走査露光装置の位置を調整して、走査線Ｋに走査線Ｙ、Ｍ、Ｃを一致させることにより行われる。
【００１３】
しかるに、各走査露光装置は基準線Ｒを中心とした許容範囲の幅内に、走査線Ｙ、Ｍ、Ｃ，Ｋが収まるように組み立てられるが、黒走査露光装置のように、特定ものを基準として位置調整が行われる場合、該特定の走査露光装置が基準位置から大きくずれているときは、該特定の走査露光装置に他の走査露光装置を合わせるために、調整量が大きくなって調整代の範囲を超えてしまい調整ができない場合が生ずる。
【００１４】
このように従来の調整方法では、調整作業に手間がかかるとともに、調整が出来ない場合があった。
【００１５】
本発明はこのような問題を解決し、簡単な調整で、各走査露光装置を高精度で位置調整し、設定することが可能であり、色ずれが十分に低減され、高画質の画像を形成することが出来るカラー画像形成装置を提供することを目的とする。
【課題を解決するための手段】
【００１６】
前記目的は下記の発明により達成される。
（請求項１）
感光体、該感光体を帯電する帯電装置、帯電された前記感光体を走査露光して静電潜像を形成する走査露光装置、前記感光体上の静電潜像を現像してトナー像を形成する現像装置、一次転写装置及びクリーニング装置を有する複数の画像形成部、
中間転写体並びに、
二次転写装置、を有し、
複数の前記画像形成部が前記中間転写体に対して対向して配置され、前記画像形成部において形成されたトナー像を前記一次転写装置により前記中間転写体に転写し、中間転写体上で重ねることにより、前記中間転写体上にカラートナー像を形成し、形成されたカラートナー像を前記二次転写装置により記録材に転写するカラー画像形成装置において、
主走査方向の一方の端部において前記走査露光装置を支持する第１支持手段及び、
前記主走査方向の他方の端部において、前記走査露光装置を支持する第２支持手段を有し、
前記第１、第２支持手段の少なくとも一つは、複数の前記走査露光装置を共通に支持する支持部材を有し、該支持部材の調整により、複数の前記走査露光装置が共通に位置調整されたことを特徴とするカラー画像形成装置。
（請求項２）
感光体に対向して、走査露光装置と現像装置とを有する画像形成部が複数配置されるとともに、転写装置が配置され、複数の前記画像形成部において、前記感光体上にトナー像を形成し、前記感光体上で重ねることにより、前記感光体上にカラートナー像を形成し、形成したカラートナー像を記録材体に転写するカラー画像形成装置において、
主走査方向の一方の端部において前記走査露光装置を支持する第１支持手段及び、
前記主走査方向の他方の端部において、前記走査露光装置を支持する第２支持手段を有し、
前記第１、第２支持手段の少なくとも一つは、複数の前記走査露光装置を共通に支持する支持部材を有し、該支持部材の調整により、複数の前記走査露光装置が共通に位置調整されたことを特徴とするカラー画像形成装置。
（請求項３）
感光体、該感光体を帯電する帯電装置、帯電された前記感光体を走査露光して静電潜像を形成する走査露光装置、前記感光体上の静電潜像を現像してトナー像を形成する現像装置、一次転写装置及びクリーニング装置を有する画像形成部の複数を、記録材を搬送する搬送体に対向して設け、
前記画像形成部において形成されたトナー像を前記一次転写装置により、前記搬送体により搬送された記録材に転写し、記録材上で重ねることにより、記録材上にカラートナー像を形成するカラー画像形成装置において、
主走査方向の一方の端部において前記走査露光装置を支持する第１支持手段及び、
前記主走査方向の他方の端部において、前記走査露光装置を支持する第２支持手段を有し、
前記第１、第２支持手段の少なくとも一つは、複数の前記走査露光装置を共通に支持する支持部材を有し、該支持部材の調整により、複数の前記走査露光装置が共通に位置調整されたことを特徴とするカラー画像形成装置。
（請求項４）
前記第１支持手段及び前記第２支持手段が複数の前記走査露光装置を共通に支持する前記支持部材を有することを特徴とする請求項１〜３のいずれか１項に記載のカラー画像形成装置。
（請求項５）
前記第１、第２支持手段の少なくとも一つは、イエロー画像形成部、マゼンタ画像形成部及びシアン画像形成部の前記走査露光装置を個々に調整可能に支持する調整支持部材を有し、該調整支持部材の調整により、前記イエロー画像形成部、前記マゼンタ画像形成部及び前記シアン画像形成部は、黒画像形成部に対して位置調整され、位置設定されていることを特徴とする請求項１〜４のいずれか１項に記載のカラー画像形成装置。
【発明の効果】
【００１７】
請求項１〜５の何れかの発明により、複数の走査露光装置が共通に位置調整されるので、簡単な調整により各走査露光装置が高精度で位置調整される。また、調整量が調整代を超えてしまい、調整できない場合が出るというような不都合が防止される。その結果、簡単な調整により、各画像形成部間の位置ずれが高度に補正され、色ずれのない高画質の画像を形成するカラー画像形成装置が実現される。
【００１８】
請求項４の発明により、走査方向の両端で位置調整するので、特に、高精度で位置調整され、高画質の画像を形成することが可能となる。
【００１９】
請求項５の発明により、複数の走査露光装置を有する露光ユニット全体で位置調整する他に、各走査露光装置が更に位置調整されるので、特に高い精度で各走査露光装置の位置が設定され、特に、高画質の画像を形成するカラー画像形成装置が実現される。
【発明を実施するための最良の形態】
【００２０】
図２は本発明の実施の形態１に係るカラー画像形成装置の全体を示す図である。
【００２１】
図２において、画像形成装置本体ＧＨは、タンデム型カラー画像形成装置と称せられるもので、複数組の画像形成部１０Ｙ、１０Ｍ、１０Ｃ、１０Ｋと、ベルト状の中間転写体６と給紙搬送手段及び定着装置２４とから成る。
【００２２】
イエロー色の画像を形成する画像形成部１０Ｙは、感光体１Ｙの周囲に配置された帯電装置２Ｙ、走査露光装置３Ｙ、現像装置４Ｙ、クリーニング装置８Ｙを有する。マゼンタ色の画像を形成する画像形成部１０Ｍは、感光体１Ｍ、帯電装置２Ｍ、走査露光装置３Ｍ、現像装置４Ｍ、クリーニング装置８Ｍを有する。シアン色の画像を形成する画像形成部１０Ｃは、感光体１Ｃ、帯電装置２Ｃ、走査露光装置３Ｃ、現像装置４Ｃ、クリーニング装置８Ｃを有する。黒色画像を形成する画像形成部１０Ｋは、感光体１Ｋ、帯電装置２Ｋ、走査露光装置３Ｋ、現像装置４Ｋ、クリーニング装置８Ｋを有する。
【００２３】
中間転写体６は、複数のローラに張架され、回動可能に支持されている。
【００２４】
画像形成部１０Ｙ、１０Ｍ、１０Ｃ、１０Ｋにより形成された各色の画像は、回動する中間転写体６上に一次転写装置７Ｙ、７Ｍ、７Ｃ、７Ｋにより逐次転写されて、合成されたカラートナー像が形成される。給紙カセット２０内に収容された用紙Ｐは、給紙手段２１により給紙され、給紙ローラ２２Ａ、２２Ｂ、２２Ｃ、２２Ｄ、レジストローラ２３等を経て、二次転写装置７Ａに搬送され、用紙Ｐ上にカラートナー像が転写される。カラートナー像が転写された用紙Ｐは、定着装置２４により定着処理され、排紙ローラ２５に挟持されて機外の排紙トレイ２６上に載置される。
【００２５】
一方、二次転写装置７Ａにより記録材Ｐにカラートナー像を転写した後、記録材Ｐが分離した中間転写体６は、クリーニング装置８Ａを通過して、クリーニング装置８Ａによりクリーニングされる。
【００２６】
画像形成装置本体ＧＨの上部には、原稿を搬送し、搬送される原稿の画像を読み取る画像読取装置ＳＫが設置されている。
【００２７】
走査露光装置３Ｙ、３Ｍ、３Ｃ及び３Ｋは同一の構造を有するので、図３に、Ｙ、Ｍ、Ｃ、Ｋの符号を省略してこれら走査露光装置を示す。
【００２８】
走査露光装置３の各構成部は筺状の枠体３１内に収納されている。
【００２９】
レーザダイオード３２から出射したレーザビームＬＢはコリメータレンズ３３、第１シ
リンドリカルレンズ３４、ポリゴンミラー３５、ｆθレンズ３６、第２シリンドリカルレンズ３７及び光透過板３８を通過して走査露光装置３から出射し、感光体を走査露光する。
【００３０】
ポリゴンミラー３５はその回転により、レーザＬＢを偏向してＬＢａからＬＢｂの範囲内の走査光を形成する。
【００３１】
次に、図４、５により走査露光装置３Ｙ、３Ｍ、３Ｃ、３Ｋの支持構造について説明する。図４は走査露光装置３Ｙ、３Ｍ、３Ｃ、３Ｋを有する露光ユニット３０の斜視図、図５は露光ユニット３０の断面図である。
【００３２】
図４において、走査露光装置３Ｙ、３Ｍ、３Ｃ、３Ｋは前方部（図の左端部）の主走査方向Ｘの両端部において、第１支持手段としての支持部材１００及び第２支持手段としての支持部材１０１により支持され、後方部において支持部材１０４により支持される。露光ユニット３０は本体枠１２０（図５に示す）により支持される。走査露光装置３Ｙ、３Ｍ、３Ｃ、３Ｋは図示のように、縦に配置される。支持部材１００、１０１は、曲げ、ねじれ等の変形を生じない剛体であり、金属製の棒状部材からなる。
【００３３】
露光ユニット３０は支持部材１００を中心に回転可能に本体枠１２０に取り付けられるとともに、走査露光装置３Ｙ、３Ｍ、３Ｃも支持部材１００を中心に露光ユニット３０内で回転可能に取り付けられる。支持部材１０１は後に説明するように位置調整可能である。走査露光装置３Ｙ、３Ｍ、３Ｃはそれぞれ支持部材１００に回転可能に支持され、支持部材１０１に対しては、後に説明するように個々に調整可能である。走査露光装置３Ｋは支持部材１００、１０１に固定される。
【００３４】
走査露光装置３Ｙは、支持部材１０１に固定された支持腕１０２及び支持部材１０４に固定された支持腕１０５により上下方向で支持されるとともに、傾斜した支持面を有し、支持部材１０１に回転可能に取り付けられた調整支持部材としての支持板１０３により水平方向で支持される。走査露光装置３Ｙはその左端部で、支持部材１０４に設けられたばね１０６により図の左方向に押されて左端部に設けられた突起１０７が支持板１０３に圧接することにより、走査露光装置３Ｙの水平方向の位置が設定される。
【００３５】
走査露光装置３Ｍ、３Ｃも走査露光装置３Ｙと同様に支持部材１０１で支持される。
【００３６】
支持部材１００の位置は本体枠１２０に固定であるが、支持部材１０１は次に説明するように、本体枠１２０に対して調整可能に取り付けられる。図６は支持部材１０１の支持部の斜視図、図７は支持部材１０１の支持部の断面図である。
【００３７】
本体枠１２０には突起１２０ａが形成されるとともに、突起１２０ａを囲むようにねじ支持部材１１０が固定される。支持部材１０１は突起１２０ａとねじ支持部材１１０の間に介在し、露光ユニット３０の背面を押すばね１１１によりねじ支持部材１１０は図５、６の左方向に付勢される。
【００３８】
支持部材１０１の位置調整において、ねじ支持部材１１０に螺入しているねじ１１２を回し、その先端で支持部材１０１の位置を変更する調整が行われる。この調整により、露光ユニット３０は支持部材１００を軸として回転し、図１における走査線Ｋが基準走査線Ｒに一致するように露光走査部３Ｋの位置が調整される。この調整においては、露光ユニット３０が全体として位置調整され、走査露光装置３Ｙ、３Ｍ、３Ｃ及び３Ｋは水平方向に同一量位置調整される。
【００３９】
図８は支持板１０３の拡大図である。支持板１０３は図示のように一方の端部が薄く、他方の端部が厚い形状の円板からなり、支持板１０３の上端近傍で支持板１０３の傾斜面に接触する走査露光装置３Ｙの突起１０７は支持板１０３の回転により水平方向に変位して、走査露光装置３Ｙの位置が変更される。
【００４０】
走査露光装置３Ｙ、３Ｍ、３Ｃはこのような位置調整、即ち、支持板１０３を回転させる調整により、走査露光装置３Ｋに対して個々に位置調整された後に、接着剤で固定される。即ち、図１において、走査線Ｙ、Ｍ、Ｃが走査線Ｋに一致するように調整される。
【００４１】
露光ユニット３０の本体枠１２０への組み付け及び調整は次のような作業により行われる。
【００４２】
露光ユニット３０を、治具を用いた位置調整により調整し本体枠１２０に取り付ける。次に、取り付けられた走査露光装置３Ｋを用いて画像の書込を行い、黒画像の走査線の位置を検査し、支持部材１０１の位置をねじ１１２を回して調整し、調整後ねじ１１２を接着剤で固定する。次に、走査露光装置３Ｙ、３Ｍ、３Ｃを用いて画像の書込を行い、走査露光装置３Ｙ、３Ｍ、３Ｃの位置調整を、支持板１０３をまわすことにより行って、調整後支持板１０３を接着剤で固定する。
【００４３】
図９は本発明の実施の他の例における露光走査装置の斜視図である。
【００４４】
本例においては、第１支持手段としての支持部材１００及び第２支持手段おしての支持部材１０１がともに調整可能に本体枠に取り付けられる。調整部材１００、１０１はともに、図６、７に示す支持構造により本体枠１２０に取り付けられ、位置調整された後に、本体枠１２０に固定される。
【００４５】
図１０は本発明の実施の形態２に係るカラー画像形成装置の全体を示す図である。
【００４６】
図１０において、ローラ２０、２１に張架されたベルト状の感光体１に対向して、その周囲に帯電装置２、クリーニング装置８、画像形成部１０Ｙ、１０Ｍ、１０Ｃ、１０Ｋが配置される。
【００４７】
イエロートナー像を形成する画像形成部１０Ｙは、走査露光装置３Ｙ及び現像装置４Ｙを有し、マゼンタトナー像を形成する画像形成部１０Ｍは、走査露光装置３Ｍ及び現像装置４Ｍを有し、シアントナー像を形成する画像形成部１０Ｃは、走査露光装置３Ｃ及び現像装置４Ｃを有し、黒トナー像を形成する画像形成部１０Ｋは、走査露光装置３Ｋ、現像装置４Ｋを有する。
【００４８】
感光体１に対向して更に、転写ローラ７、１２が配置され、転写ローラ７と転写ローラ１２との間に記録材Ｐが通される。
【００４９】
感光体１の矢印で示す方向の循環移動により画像形成が行われ、帯電装置２により帯電された感光体１には、露光装置３Ｙによる露光及び現像装置４Ｙの現像によりイエロートナー像が形成される。同様にして感光体１が画像形成部１０Ｍ、１０Ｃ、１０Ｋを通過して、感光体上にマゼンタトナー像、シアントナー像及び黒トナー像が形成され、これらの単色トナー像が重ね合わせ形成されることにより、感光体１上にカラートナー像が形成される。
【００５０】
形成されたカラートナー像が転写ローラ７、１２により記録材Ｐに転写され、転写後に記録材Ｐが定着装置２４を通過してカラトナー像が記録材Ｐに定着される。
【００５１】
本実施の形態における走査露光装置３Ｙ、３Ｍ、３Ｃ及び３Ｋは、図３に示したレーザを光源とし、偏向手段により走査光を形成するレーザ走査露光装置からなり、実施の形態１に関して説明した前記の支持機構と同様な支持機構により支持される。
【００５２】
図１１は本発明の実施の形態３に係るカラー画像形成装置の全体を示す図である。
【００５３】
図１１において、画像形成部１０Ｙ、１０Ｍ、１０Ｃ、１０Ｋが搬送ベルト３０に対向して、その上方に配置される。
【００５４】
画像形成部１０Ｙは、感光体１Ｙ、帯電装置２Ｙ、走査露光装置３Ｙ、現像装置４Ｙ、一次転写装置７Ｙ及びクリーニング装置８Ｙを有し、画像形成部１０Ｍは、感光体１Ｍ、帯電装置２Ｍ、走査露光装置３Ｍ、現像装置４Ｍ、一次転写装置７Ｍ及びクリーニング装置８Ｍを有し、画像形成部１０Ｃは、感光体１Ｃ、帯電装置２Ｃ、走査露光装置３Ｃ、現像装置４Ｃ、一次転写装置７Ｃ及びクリーニング装置８Ｃを有し、画像形成部１０Ｋは、感光体１Ｋ、帯電装置２Ｋ、走査露光装置３Ｋ、現像装置４Ｋ、一次転写装置７Ｋ及びクリーニング装置８Ｋを有する。搬送ベルト３０はローラ１０、１１により支持され、矢印で示すように循環移動する。
【００５５】
搬送ベルト３０により搬送された記録材Ｐに対して各画像形成部において形成されたイエロートナー像、マゼンンタトナー像、シアントナー像及び黒トナー像が記録材Ｐに転写され、これら単色トナー像が重なってカラートナー像が記録材Ｐ上に形成れる。記録材Ｐ上のカラートナー像は定着装置２４により定着される。
【００５６】
記録材Ｐが分離された搬送ベルト３０はクリーニング装置８Ａによりクリーニングされる。
【００５７】
本実施の形態における走査露光装置３Ｙ、３Ｍ、３Ｃ及び３Ｋは、図３に示したレーザを光源とし、偏向手段により走査光を形成するレーザ走査露光装置からなり、実施の形態１に関して説明した前記の支持機構と同様な支持機構により支持される。
【図面の簡単な説明】
【００５８】
【図１】走査線の位置調整の概念図である。
【図２】本発明の実施の形態１に係るカラー画像形成装置の全体を示す図である。
【図３】走査露光装置の平面断面図である。
【図４】露光ユニットの斜視図である。
【図５】露光ユニットの断面図である。
【図６】支持部材の支持部の斜視図である。
【図７】支持部材を支持部の断面図である。
【図８】支持板の拡大図である。
【図９】本発明の実施の形態の他の例における露光走査装置の斜視図である。
【図１０】本発明の実施の形態２に係るカラー画像形成装置の全体を示す図である。
【図１１】本発明の実施の形態３に係るカラー画像形成装置の全体を示す図である。
【符号の説明】
【００５９】
３Ｙ、３Ｍ、３Ｃ、３Ｍ  走査露光装置
１００、１０１、１０４  支持部材
１０２、１０５  支持腕
１０３  支持板
１０６、１１１  ばね
１２０  本体枠
【図１】
2006243460.tif 000003
【図２】
2006243460.tif 000004
【図３】
2006243460.tif 000005
【図４】
2006243460.tif 000006
【図５】
2006243460.tif 000007
【図６】
2006243460.tif 000008
【図７】
2006243460.tif 000009
【図８】
2006243460.tif 000010
【図９】
2006243460.tif 000011
【図１０】
2006243460.tif 000012
【図１１】
2006243460.tif 000013